(57)【要約】      （修正有）【課題】体調に合わせて早目に、冷噴霧と冷給水と少量の塩分を補給し、身体の体温を内外から低下させ体内のバランスを整え、熱中症を未然に防止することが出来る熱中症防止冷水スプレーを提供する。【解決手段】熱中症防止の噴射ポンプ６と、内外二層間を真空にした魔法瓶１との構成からなる、魔法瓶の開口部に、ベース装着キャップ３を取り付け、その上部に噴射ポンプ６と給水ストロー１０を接続して、即時にソフトな冷噴霧と冷給水と塩分が補給出来ることを特徴とする。【選択図】図１
0003216038.tif 000002
【実用新案登録請求の範囲】
【請求項１】
熱中症防止の噴射ポンプと、内外二層間を真空にした魔法瓶との構成とからなる、前記魔法瓶の開口部に、ベース装着キャップを取り付け、その上部に前記噴射ポンプと給水ストローを接続したことを特徴とする、熱中症防止冷水スプレー。
【請求項２】
前記噴射ポンプのノズルは、超微粒子噴霧ノズルを設け、ソフトな冷噴霧の噴き出しを特徴とする、請求項１記載の熱中症防止冷水スプレー。
【請求項３】
前記給水ストローに、水漏れ防止兼用の給水バルブを設けたことを特徴とする、請求項１記載の熱中症防止冷水スプレー。
【請求項４】
前記ベース装着キャップは、強度と保冷を考慮して一体成形と、その内側に断熱兼用パッキンを設けたことを特徴とする、請求項１から請求項３のいずれか記載の熱中症防止冷水スプレー。
【請求項５】
前記噴射ポンプと、前記給水ストローを覆ふと共に、塩分ケースを内蔵する保護キャップを設けたことを特徴とする、請求項１から請求項４のいずれか記載の熱中症防止冷水スプレー。
【考案の詳細な説明】
【技術分野】
【０００１】  本考案は、夏期熱中症の防止対策を考慮した、携帯用の熱中症防止冷水スプレーに関するものである。
【背景技術】
【０００２】  例年夏期になると、熱中症の予防注意がテレビやラジオで放送されているが、熱中症患者の多発が現状である。熱中症の防止は自己管理が一番と思うが、未だスポーツドリンク等以外は、昔同然の対策しかなされていない。【０００３】  特許文献１は，魔法瓶の温水を噴霧して、赤ちゃんのお尻の清潔確保だけで現状には合っていない、構成は市販品２種類の組み合わせで、特に新規性は乏しい。
【先行技術文献】
【特許文献】
【０００４】
【特許文献１】実登  ３１１０４０９号  公報
【特許文献２】実開  昭６１−８６０３６号  公報
【特許文献３】実開平  ３−３７９１９号  公報
【考案の概要】
【考案が解決しようとする課題】
【０００５】  前記に述べた通り、夏期の天候は高温多湿で体調管理が難しく、特に屋外は直射日光を浴びるので熱中症になり易く、直接的対策は必須である。
【課題を解決するための手段】
【０００６】    本考案は、熱中症防止の噴射ポンプと、内外二層間を真空にした魔法瓶との構成とからなる、前記魔法瓶の開口部に、ベース装着キャップを取り付け、その上に前記噴射ポンプと給水ストローを接続したことを特徴とする、熱中症防止冷水スプレー。【０００７】  前記噴射ポンプのノズルは、超微粒子噴霧ノズルを設け、ソフトな冷噴霧の噴き出しを特徴とする、熱中症防止冷水スプレー。【０００８】  前記給水ストローに、水漏れ防止兼用の給水バルブを設けたことを特徴とする、熱中症防止冷水スプレー。【０００９】  前記ベース装着キャップは、強度と保冷を考慮して一体成形と、その内側に断熱兼用パッキンを設けたことを特徴とする、熱中症防止冷水スプレー。【００１０】  前記噴射ポンプと、前記給水ストローを覆ふと共に、塩分ケースを内蔵する保護キャップを設けたことを特徴とする、熱中症防止冷水スプレー。
【考案の効果】
【００１１】  上述の様に、本考案の熱中症防止冷水スプレーは、体調に合わせて早目に、冷噴霧と冷給水と少量の塩分を補給すれば、身体の体温を内外から低下させ体内のバランスを整えるので、熱中症を未然に防止することが出来る。【００１２】  冷噴霧は超微粒子でソフト感があるので、顔に直接噴き付けても違和感が無く冷風効果が爽快に感じる、またタオルかハンカチに噴き込んで間接的の使用でも効果がある。それから女性の化粧肌にも十分に適用する。【００１３】  水分の補給は給水ストローと、冷噴霧を直接口内に噴き込ませても、清涼感と水分が潤い頭の中がスッキリする。【００１４】  冷水スプレーは、携帯用のため容量に制限があるので長時間行動の場合は、サイズアップか、氷片と冷水を予備容器での持参か、または市販の冷水ボトルの充填も可能である。【００１５】  冷水スプレーを常備携帯することにおいて、スポーツ及び観戦やレジャーや屋外作業等は安心して行動が出来ることと、女性の化粧維持も可能で、健康管理の必需要具となり社会にも寄与出来る。
【図面の簡単な説明】
【００１６】
【図１】  本考案の熱中症防止冷水スプレーの断面詳細図と噴射ポンプの側面図である。
【図２】  同熱中症防止冷水スプレーのベース装着キャップ上部の平面図である。
【図３】  同熱中症防止冷水スプレーの立面図である。
【図４】  同熱中症防止冷水スプレーの噴射ポンプの表面図である。
【考案を実施するための形態】
【００１７】  以下本考案の実施の形態を添付図面、図１〜図４に基づいて説明する。
【００１８】  図において、熱中症防止冷水スプレーの構成は、内外二層間真空部２の魔法瓶１の開口上部に、給水バルブ１１とストロー吸水管１４を組み込んだベース装着キャップ３を接続、次に噴射ポンプ６をポンプ装着リング７で接続、最後に給水ストロー１０と、塩分ケース１５を内蔵させた保護キャップ１６を覆ふせた、冷水スプレーである。
【００１９】  要具組み込み用のベース装着キャップ３は、強度と保冷を考慮して一体成形として、接続ネジ４で断熱兼用パッキン５を締め付け漏水と保冷の確保、貫通の給水貫通管１２は接着固定として漏水を防止した。
【００２０】  主要の噴射ポンプ６は、ポンプ吸水管１３を下部のポンプ装着リング７内のパイプに差し込み、ベース装着キャップ３頭部に接続、噴射操作はポンプレバー９を指で引くと超微粒子噴霧ノズル８からソフトな冷噴霧が噴き出される。
【００２１】  以下、上記構成の組立及び使用方法を箇条書きで説明する。
１、魔法瓶１容器に氷片Ａと冷水Ｂを入れる。
２、同上小口にベース装着キャップ３を漏水ないように接続する。
３、噴射ポンプ６は、ポンプ装着リング７でベース装着キャップ３の頭部に漏水ないように接続、最後に給水ストロー１０を差し込む。
４、塩分ケース１５は食塩を入れ、保護キャップ１６に内蔵してから覆ふ。
５、噴射ポンプ６の操作は、保護キャップ１６を外し頭部を握り、指先でポンプレバー９を引くと超微粒子噴射ノズル８からソフトな冷噴霧が噴き出る。
６、冷水の給水は給水バルブ１１の操作で給水ストロー１０から吸い込む。
【符号の説明】
【００２２】    １      魔法瓶
２      二層間真空部
３      ベース装着キャップ
４      接続ネジ
６      噴射ポンプ
７      ポンプ装着リング
８      超微粒子噴霧ノズル
９      ポンプレバー
１０      給水ストロー
１１      給水バルブ
１２      給水貫通管
１３      ポンプ吸水管
１４      ストロー吸水管
１５      塩分ケース
１６      保護キャップ
Ａ      氷片
Ｂ      冷水
【図１】
0003216038.tif 000003
【図２】
0003216038.tif 000004
【図３】
0003216038.tif 000005
【図４】
0003216038.tif 000006